(57)【要約】【課題】保護材を背部の下部縁の角部に非常に取り付け易いものとすると共に、その角部の衝撃吸収性能が非常に優れたランドセルを提供する。【解決手段】背部１の両側辺部と、左右襠部２の後辺部のそれぞれを重ね合わせて縫着すると共に、背部１の下辺部と底襠部３の後辺部を重ね合わせて縫着するときに、背部１の下部縁の角部ｅを、衝撃吸収体４からなる保護材Ｍに形成した嵌合溝５に嵌合させ、これらを一纏めにして同時に縫着したものとしている。【選択図】図１
0003137764.tif 000002
【実用新案登録請求の範囲】
【請求項１】
背部（１）の両側辺部と、左右襠部（２）の後辺部のそれぞれを重ね合わせて縫着すると共に、背部（１）の下辺部と底襠部（３）の後辺部を重ね合わせて縫着するときに、背部（１）の下部縁の角部（ｅ）を、衝撃吸収体（４）からなる保護材（Ｍ）に形成した嵌合溝（５）に嵌合させ、これらを一纏めにして同時に縫着したことを特徴とするランドセル。
【請求項２】
前記背部（１）の両側辺部と、左右襠部（２）の後辺部のそれぞれを重ね合わせて縫着すると共に、背部（１）の下辺部と底襠部（３）の後辺部を重ね合わせて縫着するときに、縁生地（６）を介在させたものとしたことを特徴とする請求項１記載のランドセル。
【請求項３】
前記衝撃吸収体（４）の平面形状を略Ｌ字形にし、前記嵌合溝（５）の断面形状を略Ｕ字形にしたことを特徴とする請求項１記載のランドセル。
【請求項４】
前記衝撃吸収体（４）の平面形状を略コ字形にし、前記嵌合溝（５）の断面形状を略Ｕ字形にしたことを特徴とする請求項１記載のランドセル。
【請求項５】
前記衝撃吸収体（４）を弾性ゴム成形体からなるものとしたことを特徴とする請求項１記載のランドセル。
【請求項６】
前記衝撃吸収体（４）を高弾性樹脂成形体からなるものとしたことを特徴とする請求項１記載のランドセル。
【考案の詳細な説明】
【技術分野】
【０００１】
この考案は、背部の下部縁の角部に保護材を取り付けたランドセルに関するものである。
【背景技術】
【０００２】
従来、この種のランドセルＲは、図７に示したように、平面形状を略コ字形状とした皮革材等の平板からなる保護材Ｍを、背部１１の下部周縁に沿わせ、縫着して取り付けたものが存在する（特許文献１）。
【０００３】
このような保護材Ｍが取り付けられたランドセルＲは、背部１１の下部縁の角部ｅが背面側から補強されることにより、この角部ｅが傷みにくくなり、長期間の使用に耐えることができるものとなる。
【０００４】
さらに、この種のランドセルＲは、図８に示したように、皮革材等の細長い生地からなる保護材Ｍを、背部２１の下辺と底襠部２２の後辺を重ね合わせて縫着すると共に、ランドセルＲの背部２１の両側辺と左右襠部２３のそれぞれの後辺を重ね合わせて縫着するときに、これらの部分を取り囲むように当てて、一纏めにして同時に縫着するようにして取り付けたものが存在する（特許文献２）。
【０００５】
このような保護材Ｍが取り付けられたランドセルＲは、背部２１の下部縁の角部ｅが背面側からだけではなく、側面側や下面側からも補強されて、この角部ｅが傷みにくくなり、長期間の使用に耐えることができるものとなる。
【特許文献１】特開２０００−４９１７号公報（図５）
【特許文献２】特開２００３−３３９４１９号公報（図１）
【考案の開示】
【考案が解決しようとする課題】
【０００６】
しかしながら、図７に示したような従来のランドセルは、保護材Ｍが平板からなるものとしているため、前記したように背部１１の下部周縁に沿わせたときに、この下部周縁に位置決めがしにくく移動してしまい、背部１１の下部縁の角部ｅへの縫着が困難であり、保護材Ｍが非常に取り付けにくいという問題点を有していた。
【０００７】
さらに、図８に示した従来のランドセルは、保護材Ｍが細長い生地からなるものとしているため、前記したように背部２１の下部分を取り囲むように当てたときに、その取り囲んだ形状を維持することができず、元の形状に戻ってしまい、背部２１の下部縁の角部ｅへの縫着が困難であり、保護材Ｍが非常に取り付けにくいという問題点を有していた。
【０００８】
そこで、この考案は、上記従来の問題点を解決するものであり、保護材を背部の下部縁の角部に非常に取り付け易いものとすると共に、その角部の衝撃吸収性能が非常に優れたランドセルを提供することを目的としてなされたものである。
【課題を解決するための手段】
【０００９】
この考案のランドセルは、背部１の両側辺部と、左右襠部２の後辺部のそれぞれを重ね合わせて縫着すると共に、背部１の下辺部と底襠部３の後辺部を重ね合わせて縫着するときに、背部１の下部縁の角部ｅを、衝撃吸収体４からなる保護材Ｍに形成した嵌合溝５に嵌合させ、これらを一纏めにして同時に縫着したものとしている。
【００１０】
そして、この考案のランドセルは、前記背部１の両側辺部と、左右襠部２の後辺部のそれぞれを重ね合わせて縫着すると共に、背部１の下辺部と底襠部３の後辺部を重ね合わせて縫着するときに、縁生地６を介在させたものとしている。
【００１１】
さらに、この考案のランドセルは、前記衝撃吸収体４の平面形状を略Ｌ字形にし、前記嵌合溝５の断面形状を略Ｕ字形にしている。
【００１２】
また、この考案のランドセルは、前記衝撃吸収体４の平面形状を略コ字形にし、前記嵌合溝５の断面形状を略Ｕ字形にしている。
【００１３】
さらに、この考案のランドセルは、前記衝撃吸収体４を弾性ゴム成形体や高弾性樹脂成形体からなるものとしている。
【考案の効果】
【００１４】
この考案のランドセルは、以上に述べたように構成されているので、保護材を背部の下部縁の角部に非常に取り付け易いものとなってランドセルが製造し易いものとなると共に、その角部の衝撃吸収性能が非常に優れたものとなる。
【考案を実施するための最良の形態】
【００１５】
以下、この考案のランドセルを実施するための最良の形態を、図面に基づいて詳細に説明する。
【００１６】
この考案のランドセルは、背部１の両側辺部と、左右襠部２の後辺部のそれぞれを重ね合わせて縫着すると共に、背部１の下辺部と底襠部３の後辺部を重ね合わせて縫着するときに、背部１の下部縁の角部ｅを、衝撃吸収体４からなる保護材Ｍに形成した嵌合溝５に嵌合させ、これらを一纏めにして同時に縫着したものとしている。なお、図示した例では、背部１の両側辺部と、左右襠部２の後辺部のそれぞれを重ね合わせて縫着すると共に、背部１の下辺部と底襠部３の後辺部を重ね合わせて縫着するときに、縁生地６を介在させたものとして体裁良くしているが、場合によってはこの縁生地６は介在させなくてもよい。
【００１７】
前記衝撃吸収体４は、平面形状を略Ｌ字形にし、嵌合溝５の断面形状を略Ｕ字形にしている。このようにした衝撃吸収体４は、図１〜３に示したように、ランドセルＲの背部１の下部縁の角部ｅのみに嵌合して縫着されるものとしている。
【００１８】
さらに、前記衝撃吸収体４は、平面形状を略コ字形にし、嵌合溝５の断面形状を略Ｕ字形にすることもできる。このようにした衝撃吸収体４は、図４〜６に示したように、ランドセルＲの背部１の下辺全域と下部縁の角部ｅに嵌合して縫着されるものとしている。
【００１９】
また、前記衝撃吸収体４は、弾性ゴム成形体や高弾性樹脂成形体からなるものとしており、ランドセルＲを落としたり、ランドセルＲに物が当たったりした場合に、角部ｅが変形しないようにすると共に、角部ｅが衝撃を吸収することにより、ランドセルＲの収納物を傷つけたりしないようにしている。なお、前記衝撃吸収体４は、弾性ゴム成形体や高弾性樹脂成形体からなるものとしているので、一体成形することによって、任意の形状、大きさの嵌合溝５が形成し易いものとなる。
【００２０】
このように構成されたこの考案のランドセルは、背部１の下部縁の角部ｅを、衝撃吸収体４からなる保護材Ｍに形成した嵌合溝５に嵌合したときに、保護材Ｍがこの状態で位置決めされ移動しないので、前記したように一纏めにして同時に縫着する場合にその作業が簡単なものとなる。
【００２１】
したがって、この考案のランドセルは、保護材Ｍを背部１の下部縁の角部ｅに非常に取り付け易いものとなると共に、その角部ｅの衝撃吸収性能が非常に優れたものとなる。
【図面の簡単な説明】
【００２２】
【図１】この考案のランドセルの一実施形態を示しており、保護材を背部の下部縁の角部に取り付ける前の状態の斜視図である。
【図２】図１中のＡ−Ａ線によるこの考案のランドセルの取り付ける保持材の断面図である。
【図３】図１に示すこの考案のランドセルの背部の下部縁の角部に保護材を取り付けた状態を示す斜視図である。
【図４】この考案のランドセルの他の実施形態を示しており、保護材を背部の下部縁の角部に取り付ける前の状態の斜視図である。
【図５】図４中のＢ−Ｂ線によるこの考案のランドセルの取り付ける保持材の断面図である。
【図６】図４に示すこの考案のランドセルの背部の下部縁の角部に保護材を取り付けた状態を示す斜視図である。
【図７】背部の下部縁の角部に保護材を取り付けた従来のランドセルの一例を示す斜視図である。
【図８】背部の下部縁の角部に保護材を取り付けた従来のランドセルの他の例を示す斜視図である。
【符号の説明】
【００２３】
１  背部
２  左右襠部
３  底マチ部
４  衝撃吸収体
５  嵌合溝
６  縁生地
ｅ  角部
Ｍ  保護材
【図１】
0003137764.tif 000003
【図２】
0003137764.tif 000004
【図３】
0003137764.tif 000005
【図４】
0003137764.tif 000006
【図５】
0003137764.tif 000007
【図６】
0003137764.tif 000008
【図７】
0003137764.tif 000009
【図８】
0003137764.tif 000010